(57)【特許請求の範囲】
【請求項１】
基端部に抜け止め手段を備えたゴム製弾性体を保持させた支持杆の先方部分を、丸刃全体を覆う大きさの板状に形成した安全カバーの中心位置に裏面側から遊貫通させるとともに、安全カバーの表面に突出する支持杆の先端部を、安全カバーの表面に当接するカムを具備した操作レバーに軸支し、  支持杆に保持させたゴム製弾性体を丸刃の中心部に設けた取付孔に遊嵌挿し、前記操作レバーの回動操作によって支持杆を引き上げ、支持杆の基端部に備えた抜け止め手段と安全カバーの裏面との間でゴム製弾性体を長さ方向に圧縮して径方向に膨らませ、取付孔に遊嵌挿したゴム製弾性体を取付孔の内面に密着させることによって安全カバーを固定することを特徴とする食品スライサーの切断装置における安全カバー取付構造。 
【発明の詳細な説明】
【技術分野】
【０００１】    この発明は、肉などの食品を切断する食品スライサーであって、丸刃を使用する切断装置において、切断作業以外の時に、安全のために装着する安全カバーの取付構造に関する発明である。
【背景技術】
【０００２】  食肉その他の食品を切断するために、円板状の丸刃を使用する食品スライサーが広く普及している。この種切断装置においては、切断作業時に切断部分以外の切れ刃を丸刃カバーによって覆っているが、切断作業終了後に丸刃洗浄やメンテナンスのために丸刃カバーを取り外して作業を行う場合がある。その場合、作業者が不用意に丸刃の切れ刃に触れて負傷する可能性がある。【０００３】  上記、切断作業時用の丸刃カバーを取り外した状態の作業に際し、安全を確保するために、特許文献２には、刃物カバーを取り外したときに丸刃物の回転をロックする思想が開示されている。また、本出願人の出願に係る特許文献１には、丸刃全体を覆う薄板状の安全具を装着する思想が開示されている。さらに、特許文献３には丸刃の研磨作業時における安全のために、研磨作業時に露出する丸刃外周部分を覆う、補助上部カバーを設ける思想が開示されている。【特許文献１】実公平７―２７１１２号公報
【特許文献２】特開昭５９−８１０９８号公報
【特許文献３】実公平７―３５７５１号公報
【発明の開示】
【発明が解決しようとする課題】
【０００４】  特許文献２に開示される発明は、丸刃物の回転をロックするだけであるため、回転しないで固定している丸刃物の切れ刃に、作業者が触れる可能性があり、安全が確保されるものではない。また、特許文献３に開示されている思想は、丸刃の一部を覆う補助上部カバーを設けるものであるため、メンテナンスのために丸刃カバーを取り外すと切れ刃が露出して危険である。これに対し、特許文献１に開示される思想は、切れ刃である丸刃の外周が完全に覆われるため極めて安全である。【０００５】  特許文献１には、丸刃を安全具本体(安全カバー)で完全に覆う基本思想と、安全具本体の着脱手段として、磁石を用いる技術思想が開示されている。しかしながら、安全具本体の装着に磁石を使用するものでは、磁石の強さによって着脱が困難な場合や、着磁力が不足して外れ易い場合があるなどの問題がある。【０００６】  本発明は、上記特許文献１に記載された発明の欠点を解消することを目的とするものである。すなわち、丸刃の洗浄作業その他、メンテナンスのために丸刃カバーを取り外した場合に、丸刃を覆う安全カバーを容易かつ確実に着脱することができる、簡単な構造の安全カバー取付構造を実現することを目的とするものである。
【課題を解決するための手段】
【０００７】  請求項１記載の発明は、基端部に抜け止め手段を備えたゴム製弾性体３を保持させた支持杆５の先方部分を、丸刃１全体を覆う大きさの板状に形成した安全カバー２の中心位置に裏面側から遊貫通させるとともに、安全カバー２の表面に突出する支持杆５の先端部を、安全カバー２の表面に当接するカム６を具備した操作レバー７に軸支する。【０００８】  安全カバー２を装着する場合は、支持杆５に保持させたゴム製弾性体３を丸刃１の中心部に設けた取付孔４に遊嵌挿し、操作レバー７の回動操作によって支持杆５を引き上げ、支持杆５の基端部に備えた抜け止め手段と安全カバー２の裏面との間でゴム製弾性体３を長さ方向に圧縮して径方向に膨らませ、取付孔４に遊嵌挿したゴム製弾性体３を取付孔４の内面に密着させることによって安全カバー２を丸刃１に固定する。
【発明の効果】
【０００９】  請求項１記載の発明によれば、食品の切断作業を完了した後、通常の丸刃カバーを取り外して周辺の洗浄などのメンテナンスを行う場合に、丸刃１に安全カバー２を確実かつ簡単に装着して作業者の安全を確保することができる。すなわち、安全カバー２は、ゴム製弾性体３の圧縮力によって、定位置の装着状態を維持するとともに、ゴム製弾性体３の圧縮力を解除することによって容易に取り外すことができる。【００１０】  さらに、操作レバー７のレバー操作によってゴム製弾性体３の圧縮を小さな力で行うことができるとともに、カム６によって一定の圧縮状態、換言すれば取付状態を実現することができ、安心して周辺の洗浄作業などのメンテナンス作業を行うことができる。そして、本発明では操作レバー７の操作によって安全カバーを自由に着脱することができる効果がある。
【発明を実施するための最良の形態】
【００１１】  以下、本発明に係る食品スライサーの切断装置における安全カバー取付構造の実施形態を、添付の図面に基づいて説明する。  図１は本発明に係る安全カバーを取り付けた状態の、安全カバー取付部分のみの縦断面図、図２は安全カバーを取り外した状態の安全カバー取付部分のみの縦断面図、図３は安全カバーをセットした固定前の状態を示す安全カバー取付部分のみの縦断面図、図４ないし図７は食品スライサーの一例を示す全体図であって、図４は作業状態、図５は丸刃カバーを取り除いた状態、図６は安全カバーを取り付ける状態、図７は安全カバーを取り付けた状態をそれぞれ示している。【００１２】  図４に示す食品スライサーは、回転駆動される丸刃１が本体フレーム９に支持されるとともに、食品保持装置10(例えば肉箱)に保持させた食品を、図４に矢印で示すように、丸刃１の面方向に、食品の一部が丸刃１を横切るように往復移動させることによって、例えば食肉を一定の厚さに順次切断する。回転駆動される丸刃１の、切断作業部分以外の外周は丸刃カバー11によって覆い、切断作業中の安全を確保している。丸刃カバー11は、本体フレーム９に取付ネジ12などの固定手段を用いて確実に固定し、切断作業中の安全を確保している。【００１３】  食品の切断作業が終了した後、例えば一日の作業が終了すると、図５に示すように食品保持装置や丸刃カバーを取り外し、丸刃１を含む装置全体を洗浄する。この際、丸刃１の外周縁である切れ刃1aが露出した状態のまま、周辺の洗浄作業を行うと、作業者が丸刃１の切れ刃1aに不用意に触れて負傷する可能性がある。そこで、図６に示すように、露出している丸刃１の表面に安全カバー１を装着して、図７に示すように、丸刃１の切れ刃1a全体を覆い、作業者の安全を確保する。【００１４】  安全カバー２は、図１ないし図４から理解されるように、丸刃１の直径よりも大きな円板状とし、安全カバー２の裏面中心位置に、圧縮変形をするゴム製弾性体３を配置するとともに、安全カバー２の裏面に突出するゴム製弾性体３を丸刃１の中心部に穿設した取付孔４に遊嵌挿する。すなわち、ゴム製弾性体３の外径は取付孔４の内径よりも僅かに細径とし、自由に挿入することができるものである。図示実施形態における取付孔４は、丸刃１の駆動軸13の端面に穿設してある。【００１５】  安全カバー２の裏面にゴム製弾性体３を突出させるには、基端部に抜け止め手段として抜け止め板14を備えた支持杆５に、円筒状に成型したゴム製弾性体３を保持させ、支持杆５の先方部分を、安全カバーの中心位置に穿設した貫通孔15を通過させて、安全カバー２の裏面側から表面側に遊貫通させる。安全カバー２の表面に突出する支持杆５の先端部を、安全カバー２の表面に当接するカム６を備えた操作レバー７に、支持軸16によって軸支する。具体的には、カム６を貫通する支持軸16によって支持杆５を軸支し、カム６に操作レバー７が固定されている。ゴム製弾性体３に穿設する中心孔は、支持杆５にガタ付きなく装着される大きさとし、ゴム製弾性体の長さは、圧縮されない状態で上端が安全カバー２の裏面に当接する程度とする。【００１６】  カム６を貫通する支持軸16の貫通位置、換言すればカム６の形状は、操作レバー７を寝かせたときの支持軸16か���安全カバー２表面との当接面までの寸法X1が、操作レバー７を起こしたときに支持軸16から安全カバー２表面との当接面までの寸法がX2に変化し、寸法X1よりも寸法X2が大きなものである。すなわち、カム６は偏心カムである。これにより、寝かせた位置の操作レバー７を起こすことによって、支持杆５が上方に引き上げられる。カム形状を変更することによって支持杆５の引き上げ寸法、換言すればゴム製弾性体３の圧縮量を決定することができる。【００１７】  図２に示すように、操作レバー７を寝かせた状態で、裏面に突出する弾性体３を取付孔４に挿入するように安全カバー２を丸刃１の上に乗せる。図３に示すように、安全カバー２を丸刃１の上に載せた状態で、図１に示すように操作レバー７を起こすと、支持杆５が引き上げられてゴム製弾性体３が長さ方向に圧縮される。ゴム製弾性体３が長さ方向に圧縮されると径方向に膨張し、取付孔４の内面にゴム製弾性体３が密着して安全カバー２が丸刃１に、確実に固定される。【００１８】  図１に示すように丸刃１に安全カバー２が装着された状態で、前記場合とは逆に、起きている操作レバー７を寝かすことによって、ゴム製弾性体３の圧縮が解除され、安全カバー２を取り外すことができる。このように、本発明では、操作レバー７の操作によって安全カバー２を自由に着脱することができる。【００１９】  本発明では、弾性体の圧縮構造として、操作レバー７によるカム６の構造を支持杆５の先端部分に軸支するだけといった、より簡単な構造によって実施することができる。また、安全カバー２の形状は、丸刃１の外周縁に形成する切れ刃1a全体を覆うことができる大きさであれば任意であり、通常円板状に形成する。その他、安全カバー２の材質は、金属板の他合成樹脂板によって実施することができる。【００２０】  図８は、安全カバーの変形の実施形態を示すものである。図８に示す実施形態は、円板状の安全カバー２に複数の窓孔８，８を設けたものである。すなわち、丸刃１を覆う安全カバー２の、丸刃１の外周を覆う周辺部分2aと、支持杆５を貫通させる中心部分2bの中間部分に複数の窓孔８，８を設けたものである。換言すれば、周辺部分2aと中心部分2b及び放射方向の連結部分2cで構成する。【００２１】  図８に示す実施形態では、第一に安全カバーの重量を軽くし、その取扱いが容易なものとすることができ。第二に窓孔から丸刃１の面を洗浄することができる。安全カバー２そのものには、大きな荷重が掛かるものではないため、窓孔８はなるべく大きなものとするのが好ましい。しかしながら、周辺部分2aと中心部分2bが安定した状態で連結されるためには、周辺部分2aと中心部分2bの連結部分2cが、等間隔の三箇所以上であることが望ましい。
【図面の簡単な説明】
【００２２】
【図１】図１は、本発明の安全カバーを取り付けた状態の、安全カバー取付部分のみの縦断面図、
【図２】図２は、安全カバーを取り外した状態の、安全カバー取付部分のみの縦断面図、
【図３】図３は、安全カバーをセットした固定前の状態を示す、安全カバー取付部分のみの縦断面図、
【図４】図４は、食品の切断作業が可能な状態の食品スライサー全体の斜視図、
【図５】図５は、丸刃カバーを取り除いた状態の食品スライサー全体の斜視図、
【図６】図６は、図５に示す食品スライサーに安全カバーを取り付ける状態の斜視図、
【図７】図７は、安全カバーを取り付けた状態の食品スライサー全体の斜視図で、
【図８】図８は、安全カバーの変形の実施形態を示す斜視図である。
【００２３】１…丸刃、  1a…切れ刃、  ２…安全カバー、  2a…周辺部分、  2b…中心部分、  2c…連結部分、  ３…ゴム製弾性体、  ４…取付孔、  ５…支持杆、  ６…カム、  ７…操作レバー、  ８…窓孔、  ９…本体フレーム、  10…食品保持装置、  11…丸刃カバー、  12…取付ネジ、  13…駆動軸、  14…抜け止め板、  15…貫通孔、  16…支持軸。
【図１】
0004801476.tif 000002
【図２】
0004801476.tif 000003
【図３】
0004801476.tif 000004
【図４】
0004801476.tif 000005
【図５】
0004801476.tif 000006
【図６】
0004801476.tif 000007
【図７】
0004801476.tif 000008
【図８】
0004801476.tif 000009